(57)【要約】    【課題】  粘着テープの露出した新鮮な粘着面が、各種清掃対象物へ強力に粘着し過ぎることにより、転動操作を軽快・円滑に行なえず、又その粘着面の早期に用い尽くされてしまうことを予防する。    【解決手段】  引き伸ばしに対する自己収縮復元力が付与された伸縮性コイル（２６）のリテーナー（Ｒ）を、粘着テープ（１０）の巻き付け芯管（１１）又はその芯管（１１）の支持キャップ（１７Ｌ）（１７Ｒ）（２２Ｌ）（２２Ｒ）へ横方向から着脱自在に嵌め付けると共に、そのリテーナー（Ｒ）に切り離し基端部が係止保持された上記コイル（２６）の自由な切り離し先端部を引き伸ばして、粘着テープ（１０）の露出した粘着面（１０Ｆ）へ適当な間隔ピッチ（Ｐ）での荒い螺旋状態に巻き付け使用することにより、その粘着テープ（１０）の粘着面（１０Ｆ）を狭く仕切り制限できるように定めた。【選択図】  図２
2006034385.tif 000002
【特許請求の範囲】
【請求項１】
引き伸ばしに対する自己収縮復元力が付与された伸縮性コイル（２６）のリテーナー（Ｒ）を、粘着テープ（１０）の巻き付け芯管（１１）又はその芯管（１１）の支持キャップ（１７Ｌ）（１７Ｒ）（２２Ｌ）（２２Ｒ）へ横方向から着脱自在に嵌め付けると共に、
そのリテーナー（Ｒ）に切り離し基端部が係止保持された上記コイル（２６）の自由な切り離し先端部を引き伸ばして、粘着テープ（１０）の露出した粘着面（１０Ｆ）へ適当な間隔ピッチ（Ｐ）での荒い螺旋状態に巻き付け使用することにより、その粘着テープ（１０）の粘着面（１０Ｆ）を狭く仕切り制限することを特徴とする転動式粘着テープクリーナー。
【請求項２】
伸縮性コイル（２６）として、太さが一定なナイロンやポリエステル、その他の合成繊維モノフィラメントを採用したことを特徴とする請求項１記載の転動式粘着テープクリーナー。
【請求項３】
伸縮性コイル（２６）のリテーナー（Ｒ）をステンレス鋼板やその他のバネ性金属板からほぼＣ字型に屈曲形成し、その円弧板面（２７）の切り離し両端部を対称なほぼヘ字型の舌片（２８Ｌ）（２８Ｒ）として内向き連続的に折り曲げると共に、
その何れか一方の舌片（２８Ｒ）における折り曲げ中途個所と、上記円弧板面（２７）の２個所との少なくとも３個所に開口分布する複数のコイル挿通孔（２９）（３０）（３１）へ、上記コイル（２６）の切り離し基端部を通し込み係止させ、
上記舌片（２８Ｌ）（２８Ｒ）のほぼ平行な折り曲げ先端部を一対の把手として、上記リテーナー（Ｒ）の口径（Ｄ２）を収縮変形させた拡開復元力により、そのリテーナー（Ｒ）の円弧板面（２７）を粘着テープ（１０）の芯管（１１）又はその芯管（１１）の支持キャップ（１７Ｌ）（１７Ｒ）（２２Ｌ）（２２Ｒ）へ圧着状態に嵌め付けるように定めたことを特徴とする請求項１記載の転動式粘着テープクリーナー。
【発明の詳細な説明】
【技術分野】
【０００１】
本発明は一般家庭の寝具や敷き物、畳、フローリングなどを初め、シャドーマスク板や導光板、プリズムシート、偏光板などの各種工業品（本願の明細書と特許請求の範囲において、「清掃対象物」と総称する。）から、その表面に付着した塵埃や髪、糸屑、愛玩動物の抜け毛、その他の各種異物を除去するための転動式粘着テープクリーナーに関する。
【背景技術】
【０００２】
この種の転動式粘着テープクリーナーは、例えば特開平９−１９２０７０号に記載されている如く、紙製の芯管とこれに約９０周回程度巻き付けられたロール状の粘着テープとから成り、その粘着テープの露出した粘着面をハンドル操作によって、上記清掃対象物の表面に転動させ、その表面から細かい各種異物を除去するものである。
【０００３】
そして、その粘着テープの粘着面に多量の異物が付着・堆積し、粘着力が衰えた時には、そのたび毎に粘着テープを切り目に沿って１周回分づつ剥ぎ取り、その露出した新鮮な粘着面を使用するようになっている。
【特許文献１】特開平９−１９２０７０号公報
【発明の開示】
【発明が解決しようとする課題】
【０００４】
ところが、上記粘着テープの露出した粘着面が新鮮である当初には、清掃対象物の表面へ強力に粘着し過ぎるため、その大きな抵抗により、転動操作を軽快・円滑に行なえないばかりでなく、各種異物を除去する粘着力が言わば即座に衰えてしまうこととなり、頻繁に粘着テープを剥ぎ取らなければならない。
【０００５】
つまり、その露出した新鮮な粘着面が早期に用い尽くされてしまい、粘着テープの粘着力を長く平均的に維持し得ない結果、いたづらな不経済を余儀なくされているわけであり、使用上の利便性にも劣る。
【課題を解決するための手段】
【０００６】
本発明はこのような課題の抜本的な解決を目的としており、その目的を達成するための構成として、請求項１では引き伸ばしに対する自己収縮復元力が付与された伸縮性コイルのリテーナーを、粘着テープの巻き付け芯管又はその芯管の支持キャップへ横方向から着脱自在に嵌め付けると共に、
【０００７】
そのリテーナーに切り離し基端部が係止保持された上記コイルの自由な切り離し先端部を引き伸ばして、粘着テープの露出した粘着面へ適当な間隔ピッチでの荒い螺旋状態に巻き付け使用することにより、その粘着テープの粘着面を狭く仕切り制限することを特徴とする。
【０００８】
又、請求項２では上記請求項１の伸縮性コイルとして、太さが一定なナイロンやポリエステル、その他の合成繊維モノフィラメントを採用したことを特徴とする。
【０００９】
更に、請求項３では同じく請求項１における伸縮性コイルのリテーナーを、ステンレス鋼板やその他のバネ性金属板からほぼＣ字型に屈曲形成し、その円弧板面の切り離し両端部を対称なほぼヘ字型の舌片として内向き連続的に折り曲げると共に、
その何れか一方の舌片における折り曲げ中途個所と、上記円弧板面の２個所との少なくとも３個所に開口分布する複数のコイル挿通孔へ、上記コイルの切り離し基端部を通し込み係止させ、
【００１０】
上記舌片のほぼ平行な折り曲げ先端部を一対の把手として、上記リテーナーの口径を収縮変形させた拡開復元力により、そのリテーナーの円弧板面を粘着テープの芯管又はその芯管の支持キャップへ圧着状態に嵌め付けるように定めたことを特徴とする。
【発明の効果】
【００１１】
請求項１の上記構成によれば、伸縮性コイルの切り離し基端部がそのリテーナーを介して、粘着テープの巻き付け芯管又はその芯管の支持キャップに付属一体化されているため、粘着テープクリーナーの使用者としては上記コイルの自由な切り離し先端部をリテーナーから引き伸ばして、粘着テープの露出した粘着面へ希望する適当な間隔ピッチでの荒い螺旋状態に巻き付けた上、寝具や敷物などの各種清掃対象物に転動させれば、その清掃対象物の表面に対する上記粘着面の接触面積が、コイルによって狭く仕切り制限される結果、冒頭に述べた従来技術の課題を完全に解消することができる。
【００１２】
しかも、上記コイルにはその引き伸ばしに対する自己収縮復元力が付与（癖付け加工）されているため、粘着テープの粘着面に対する巻き付け状態を解けば、そのコイルはリテーナーへ自づと引き戻された密巻き状態となり、上記粘着面から退避する結果、その粘着力が衰えた粘着テープの粘着面を１周回分づつ、極めて容易に剥ぎ取ることもでき、著しく便利である。
【００１３】
特に、請求項２の上記構成を採用するならば、その伸縮性コイルに対する螺旋状態の癖付け（形状記憶）加工や、自己収縮復元力の付与を容易に行なえ、耐用性と安全性などを向上できる効果がある。
【００１４】
又、請求項３の上記構成を採用するならば、その伸縮性コイルのリテーナーが口径の伸縮可能なバネ性を有するため、粘着テープにおける巻き付け芯管の口径やその支持キャップの口径に大小変化があっても、これに応じて常時ワンタッチ式に嵌め付け又は取りはずすことができ、更に全体的なほぼＣ字型をなすため、上記支持キャップを遊転自在に枢着する転動操作ハンドルの支軸が、その支持キャップから水平に導出されていたとしても、これに支障なく伸縮性コイルのリテーナーを嵌め付け使用することも可能であり、汎用性と利便性に優れる。
【発明を実施するための最良の形態】
【００１５】
以下、図面に基いて本発明の具体的構成を詳述すると、図１〜７はその転動式粘着テープクリーナーの基本実施形態を示しており、（１０）は一定幅（Ｗ１）（例えば約１６cm）の紙又はプラスチックフィルムを基材とし、その基材の表裏両面に粘着剤と離型剤が各々塗布された粘着テープであって、硬質な紙製又はプラスチック製の巻き付け芯管（１１）へ、その粘着面（１０Ｆ）が露出状態に巻き付けられた一定太さのロール体をなしている。
【００１６】
このような粘着テープ（１０）には剥ぎ取り用切れ目線（１２）が、その幅全体や左右両端部のみに加工されたり、又使用上の転動方向性を示す案内矢印（図示省略）などが施されたりすることもある。
【００１７】
（Ｈ）は上記ロール状粘着テープ（１０）の転動操作ハンドルであって、比較的短かい１本の金属杆から図示のように折り曲げられており、その垂直な上端部がプラスチック製のグリップカバー（１３）として、ここを把持できるようになっている一方、残る下端部の水平な支軸（１４）には上記粘着テープ（１０）の芯管支持ローラー（１５）が遊転自在に嵌め付け枢着されている。（１６）はその芯管支持ローラー（１５）の抜け止めワッシャ、（Ｌ）は支軸（１４）の一定長さを示している。
【００１８】
茲に、芯管支持ローラー（１５）は上記粘着テープ（１０）の芯管（１１）とほぼ対応する一定長さと太さを備えたプラスチック製品であるが、その左右両端部だけは特に上記芯管（１１）と嵌合する円形の支持キャップ（１７Ｌ）（１７Ｒ）として、しかも外向き開口する断面コ字型をなしている。（Ｄ１）はその両支持キャップ（１７Ｌ）（１７Ｒ）の口径である。
【００１９】
基本実施形態の場合、転動操作ハンドル（Ｈ）は上記芯管支持ローラー（１５）の所謂片持ち式として、その支軸（１４）の導出する芯管支持ローラー（１５）の一端側（図５の左側）が、比較的浅い断面コ字型の支持キャップ（１７Ｌ）として造形されている。（１８）はその支持キャップ（１７Ｌ）の開口縁部から張り出す径大な円形の芯管抜け止めフランジである。
【００２０】
そして、同じく芯管支持ローラー（１５）における上記支軸（１４）と干渉しない自由な他端側（図５の右側）は、比較的深い断面コ字型の支持キャップ（１７Ｒ）として造形されており、ここには口径収縮用割り溝（１９）の切り欠きによって、向かい合う一対の弾性片（２０）が分岐されている。（２１）はその各弾性片（２０）の開口縁部から張り出す径大な円弧状の芯管抜け止めフランジである。
【００２１】
そのため、向かい合う一対の弾性片（２０）を押え込んで、支持キャップ（１７Ｒ）の口径を収縮変形させることにより、その芯管支持ローラー（１５）へ横方向から上記粘着テープ（１０）の芯管（１１）を抜き差し自在に差し込み套嵌させることができ、そのロール状粘着テープ（１０）におけるスペアー品との交換も行なえる。
【００２２】
但し、図５と対応する図８の第１変形実施形態に示す如く、一定長さの上記芯管支持ローラー（１５）を省略して、その別個独立するプラスチック製支持キャップ（２２Ｌ）（２２Ｒ）だけの左右一対を、ロール状粘着テープ（１０）の芯管（１１）へ抜き差し自在に差し込み嵌合させる一方、その各支持キャップ（２２Ｌ）（２２Ｒ）の中心部から外向き一体的に張り出す水平な支軸（２３Ｌ）（２３Ｒ）を、プラスチック製転動操作ハンドル（Ｈ）における左右一対の挟持片（２４Ｌ）（２４Ｒ）に対応形成された軸受け孔（２５Ｌ）（２５Ｒ）へ、やはり抜き差し自在に差し込むことにより、上記粘着テープ（１０）の芯管（１１）を所謂両持ち式として、その転動操作ハンドル（Ｈ）へ遊転自在に枢着しても良い。
【００２３】
（２６）は上記ロール状粘着テープ（１０）の粘着面（１０Ｆ）へ巻き付け使用されることにより、その粘着面（１０Ｆ）を適当に狭く仕切り制限する一定長さ（例えば約７０〜１００cm）の伸縮性コイルであって、一定太さ（例えば約０．５〜０．９mm）のナイロンやポリエステル（好ましくは融点が約２６０℃のポリエチレンテレフタレート）などの合成繊維モノフィラメントから、螺旋状に癖付け（形状記憶）加工されているほか、その製糸条件の制御により、引き伸ばしに対する自己収縮復元力も付与されている。人為的に引き伸ばした荒い螺旋状態から、整然と密着した螺旋状態へ自づと収縮復元するようになっているのである。
【００２４】
そして、このような伸縮性コイル（２６）の切り離し基端部は次のリテーナー（Ｒ）に保持された状態として、上記芯管支持ローラー（１５）の左右両端部をなす支持キャップ（１７Ｌ）（１７Ｒ）や、別個独立する左右一対の支持キャップ（２２Ｌ）（２２Ｒ）へ着脱自在に嵌め付けられ、同じく伸縮性コイル（２６）の自由な切り離し先端部が、粘着テープクリーナーの使用者によって、その粘着テープ（１０）の粘着面（１０Ｆ）へ希望する間隔ピッチ（Ｐ）での荒い螺旋状態に巻き付けられることとなる。
【００２５】
茲に、伸縮性コイル（２６）のリテーナー（Ｒ）は図９〜１１に抽出して示す如く、一定幅（Ｗ２）（例えば約６〜１０mm）のステンレス鋼板やその他のバネ性を有する金属板からほぼＣ字型に屈曲形成されていると共に、その円弧板面（２７）の切り離し両端部が対称なほぼヘ字型をなす一対の舌片（２８Ｌ）（２８Ｒ）として、内向き連続的に折り曲げられている。
【００２６】
（２９）（３０）（３１）はその何れか一方（図６の右側）の舌片（２８Ｒ）における折り曲げ中途個所と、これと同じ一方へ偏倚した円弧板面（２７）の２個所との少なくとも合計３個所へ、点在分布状態に開口形成された複数のコイル挿通孔であり、上記伸縮性コイル（２６）の切り離し基端部をその舌片（２８Ｒ）のコイル挿通孔（２９）から、順次円弧板面（２７）のコイル挿通孔（３０）（３１）へ通し込み係止させることができるようになっており、その通し込み係止状態では上記螺旋状の癖付け加工とも相俟って、その伸縮性コイル（２６）の不慮に脱落するおそれがない。
【００２７】
しかも、伸縮性コイル（２６）のリテーナー（Ｒ）は予じめ上記支持キャップ（１７Ｌ）（１７Ｒ）（２２Ｌ）（２２Ｒ）の口径（Ｄ１）よりも、或る程度大きな口径（Ｄ２）のＣ字型に屈曲形成されており、あたかも穴用スナップリング（止め輪）のように、その上記舌片（２８Ｌ）（２８Ｒ）のほぼ平行な折り曲げ先端部を一対の把手として、ここへ当てがった指先により、図１０の矢印で示す方向へ摘まみ操作して、リテーナー（Ｒ）の口径（Ｄ２）を収縮変形させれば、そのリテーナー（Ｒ）を上記支持キャップ（１７Ｌ）（１７Ｒ）（２２Ｌ）（２２Ｒ）の内部へ横方向から嵌め付けることができ、その摘まみ操作手を離せば、リテーナー（Ｒ）の円弧板面（２７）が拡開復元力によって、上記支持キャップ（１７Ｌ）（１７Ｒ）（２２Ｌ）（２２Ｒ）の内周面へ圧着一体化し得るようになっている。
【００２８】
その場合、リテーナー（Ｒ）の口径（Ｄ２）をロール状粘着テープ（１０）における巻き付け芯管（１１）の口径（Ｄ３）よりも、予じめ若干大きく寸法化しておくことによって、その伸縮性コイル（２６）のリテーナー（Ｒ）を図１２〜１４の第２変形実施形態に示す如く、上記芯管（１１）の内部へ同様な圧着状態に嵌め付け使用することも可能であり、やはり脱落するおそれはない。つまり、そのリテーナー（Ｒ）は口径（Ｄ２）の伸縮可能なバネ性を有するため、上記支持キャップ（１７Ｌ）（１７Ｒ）（２２Ｌ）（２２Ｒ）や芯管（１１）における口径（Ｄ１）（Ｄ３）の大小変化に対応できる汎用性がある。
【００２９】
何れにしても、粘着テープクリーナーを使用する場合、その使用者としては上記支持キャップ（１７Ｌ）（１７Ｒ）（２２Ｌ）（２２Ｒ）や芯管（１１）の内部へ圧着状態に嵌め付けられているリテーナー（Ｒ）から、その伸縮性コイル（２６）の自由な切り離し先端部を引き伸ばし、ロール状粘着テープ（１０）の露出した粘着面（１０Ｆ）へ、図２〜６や図８のような希望する間隔ピッチ（Ｐ）での荒い螺旋状態に巻き付けて、例えばベッドやカーペットなどの各種清掃対象物（Ｍ）の表面に転動させれば良い。
【００３０】
そうすれば、その粘着テープ（１０）の粘着面（１０Ｆ）へ仮り止め状態に粘着一体化された上記伸縮性コイル（２６）が、清掃対象物（Ｍ）の表面に対する粘着面（１０Ｆ）の接触面積を言わば狭く仕切り制限することになり、その結果特に新鮮な粘着面（１０Ｆ）が強力に粘着し過ぎて、早期に用い尽くされてしまうおそれを予防でき、その当初の転動操作も抵抗少なく円滑に行なえる利便性がある。
【００３１】
又、上記粘着面（１０Ｆ）に対する伸縮性コイル（２６）の巻き付け状態を解けば、その伸縮性コイル（２６）は自己の収縮復元力により、図７のようにリテーナー（Ｒ）へ引き戻された径小な密巻き螺旋状態として、上記粘着面（１０Ｆ）を無制限に開放する結果、その粘着力の衰えた粘着テープ（１０）を１周回分づつ、極めて容易に剥ぎ取ることができ、このような作業を繰り返すことにより、上記粘着テープ（１０）の使用寿命を延長し得るのである。
【００３２】
図１〜７の上記基本実施形態と図８の第１変形実施形態では、転動操作ハンドル（Ｈ）のグリップカバー（１３）を把持して、各種清掃対象物（Ｍ）の表面に沿い転動させるようになっているが、図１２〜１４の第２変形実施形態に示す如く、その転動操作ハンドル（Ｈ）を使用せず、上記芯管（１１）に巻き付けられたロール状粘着テープ（１０）だけを直接把持しつつ、各種清掃対象物（Ｍ）への転動操作を行なっても、上記効果を同様に達成できることは勿論である。
【００３３】
更に、図１５、１６は上記基本実施形態に対応する第３変形実施形態を示しており、これでは使用者が把持する転動操作ハンドル（Ｈ）を長いストレートな金属杆として、その切り離し下端部と上記水平な枢軸（１４）から曲げ出された短かい金属杆の切り離し上端部とを、フレキシブル継手（３２）によって連結一体化している。
【００３４】
そのフレキシブル継手（３２）は紡錘型に密巻きされた金属線材のコイルバネから成るため、転動操作ハンドル（Ｈ）を強く押し下げ操作すれば、上記フレキシブル継手（３２）から自由自在に屈曲変形することとなり、その転動操作ハンドル（Ｈ）が長い（例えば約８０cm）ことやロール状粘着テープ（１０）が狭幅（例えば約８cm）であることとも相俟って、図１６の使用状態から示唆されるように、例えば家具（Ｆ）の狭隘な下部空間に向かっても、ロール状粘着テープ（１０）を奥深く転動挿入しつつ、その清掃対象物（Ｍ）の表面から各種異物を確実に除去することができ、大変便利である。
【００３５】
尚、第１〜３変形実施形態におけるその他の構成は上記基本実施形態と実質的に同一であるため、その図８〜１６に図１〜７との対応符号を記入するにとどめて、その詳細な説明を省略する。
【図面の簡単な説明】
【００３６】
【図１】本発明に係る転動式粘着テープクリーナーの分解状態を示す斜面図である。
【図２】図１の組立状態を示す斜面図である。
【図３】図２の正面図である。
【図４】図３の側面図である。
【図５】図４の５−５線断面図である。
【図６】図５の６−６線に沿う拡大断面図である。
【図７】図３に対応する伸縮性コイルの収縮復元状態を示す正面図である。
【図８】本発明に係る転動式粘着テープクリーナーの図５に対応する第１変形実施形態を示す断面図である。
【図９】伸縮性コイルのリテーナーを抽出して示す斜面図である。
【図１０】図９の正面図である。
【図１１】図１０の１１−１１線断面図である。
【図１２】本発明に係る転動式粘着テープクリーナーの図２に対応する第２変形実施形態を示す斜面図である。
【図１３】図１２の拡大側面図である。
【図１４】図１３の１４−１４線断面図である。
【図１５】本発明に係る転動式粘着テープクリーナーの図４に対応する第３変形実施形態を示す側面図である。
【図１６】図１５の使用状態を示す側面図である。
【符号の説明】
【００３７】
（１０）・ロール状粘着テープ
（１０Ｆ）・粘着面
（１１）・巻き付け芯管
（１２）・切れ目線
（１３）・グリップカバー
（１４）・支軸
（１５）・芯管支持ローラー
（１７Ｌ）（１７Ｒ）（２２Ｌ）（２２Ｒ）・支持キャップ
（１８）・芯管抜け止めフランジ
（１９）・割り溝
（２０）・弾性片
（２１）・芯管抜け止めフランジ
（２３Ｌ）（２３Ｒ）・支軸
（２４Ｌ）（２４Ｒ）・挟持片
（２５Ｌ）（２５Ｒ）・軸受け孔
（２６）・伸縮性コイル（合成繊維モノフィラメント）
（２７）・円弧板面
（２８Ｌ）（２８Ｒ）・舌片
（２９）（３０）（３１）・コイル挿通孔
（３２）・フレキシブル継手（コイルバネ）
（Ｈ）・転動操作ハンドル
（Ｒ）・伸縮性コイルのリテーナー
（Ｍ）・清掃対象物
（Ｄ２）・リテーナーの口径
【図１】
2006034385.tif 000003
【図２】
2006034385.tif 000004
【図３】
2006034385.tif 000005
【図４】
2006034385.tif 000006
【図５】
2006034385.tif 000007
【図６】
2006034385.tif 000008
【図７】
2006034385.tif 000009
【図８】
2006034385.tif 000010
【図９】
2006034385.tif 000011
【図１０】
2006034385.tif 000012
【図１１】
2006034385.tif 000013
【図１２】
2006034385.tif 000014
【図１３】
2006034385.tif 000015
【図１４】
2006034385.tif 000016
【図１５】
2006034385.tif 000017
【図１６】
2006034385.tif 000018